(57)【特許請求の範囲】
【請求項１】
少なくとも第１の周期および第２の周期に従って変化する周期を有する情報を示すように構成された時計用のカレンダ機構（１）であって、
表示されるべき情報の最大周期に応じて選択された個数の固定歯（５）を有する歯車（４）と、休止位置と動作位置の間で動くように構成され、少なくとも１つの格納式歯（１１）が設けられたレバー（９）とを備える月ホイール（３）、
前記固定歯（５）と相互作用するように構成された第１の駆動部（７ａ）と、前記第１の駆動部（７ａ）に対して角度的にオフセットされ、前記レバー（９）がその動作位置にある場合に、前記格納式歯（１１）と相互作用するように構成された第２の駆動部（７ｂ）とを備える駆動ホイール、
第１の周期による前記期間の変動を表す第１のカム（１５）、
第２の周期による前記期間の変動を表す少なくとも１つの第２のカム（１７）、
前記歯車（４）、前記第１のカム（１５）、および前記第２のカム（１７）と動力学的に接続され、前記周期に応じて前記歯車（４）に対して前記カム（１５）の各々を割り出しするよう構成された割り出しシステム（１９）、および、
第１のカム（１５）と接触するように意図された第１のカム感知スピンドル（２１ａ）と、第２のカム（１７）と接触するように意図された第２のカム感知スピンドル（２３ａ）とを備え、感知スピンドル（２１ａ、２３ａ）は、互いに動力学的に接続され、前記カム（１５、１７）の各々の制御下で、前記レバー（９）をその休止位置からその動作位置に移動させるように構成された、前記レバー（９）の作動システム（１３）
を備えることを特徴とするカレンダ機構（１）。
【請求項２】
前記第１のカム（１５）および前記第２のカム（１７）は、前記歯車（４）と同軸であり、それによって支持されている、請求項１に記載のカレンダ機構（１）。
【請求項３】
前記カム（１５、１７）の各々は、前記歯車（４）の同じ側に位置する、請求項１または２に記載のカレンダ機構（１）。
【請求項４】
前記カム（１５、１７）の一方は、前記歯車（４）の第１の側に位置し、前記カム（１５、１７）の他方は、前記歯車（４）の第２の側に位置する、請求項１または２に記載のカレンダ機構（１）。
【請求項５】
第２の感知スピンドル（２３ａ）は、前記歯車（４）の開口（４ａ）を貫通して延びる、請求項４に記載のカレンダ機構（１）。
【請求項６】
作動システム（１３）は、前記第１の感知スピンドル（２１ａ）が設けられ、また、前記第１のカム（１５）の制御下で動作位置に移動させるために前記レバー（９）と接触するよう意図されたストッパ（２１ｃ）が設けられた第１のレバー（２１）を備える、請求項１〜５のいずれか一項に記載のカレンダ機構（１）。
【請求項７】
第２の感知スピンドル（２３ａ）は第１のレバー（２１）によって支持される、請求項６に記載のカレンダ機構（１）。
【請求項８】
作動システムは、前記第１のレバー（２１）に動力学的に接続された第２のレバー（２３）を備え、前記第２のレバー（２３）は前記第２の感知スピンドル（２３ａ）を支持する、請求項６に記載のカレンダ機構（１）。
【請求項９】
作動システム（１３）は、少なくとも前記第１のレバー（２１）に動力学的に接続され、前記レバー（９）を前記第２のカム（１７）の制御下でその動作位置に向かって動かすように構成された追加の作動ホイール（２５）を備える、請求項６〜８のいずれか一項に記載のカレンダ機構（１）。
【請求項１０】
追加の作動ホイール（２５）は、前記歯車（４）に対して枢動され、前記第２のカム（１７）の制御下で前記レバー（９）を押圧することを意図された追加の作動カム（２５ａ）を備える、請求項９に記載のカレンダ機構（１）。
【請求項１１】
前記第１のカム（１５）は、第１の周期に従って変化する月の日数を表す形状（１５ａ、１５ｂ）を有し、前記第２のカム（１７）は、第２の周期に従って変化する少なくとも１つの特定の月における日数を表す形状（１７ａ、１７ｂ）を有し、前記第１のカム（１５）は、前記第２の周期に従って日数が決まる少なくとも１つの月を表す切欠部（１５ｃ）を備える、請求項１〜１０のいずれか一項に記載のカレンダ機構（１）。
【請求項１２】
第１の周期は１２ヶ月であり、前記第１のカム（１５）の形状は、第１の１２ヶ月の周期に従って変化する最初の月から１１番目の月までの日数を表し、切欠部（１５ｃ）は１２番目の月に対応し、第２の周期は３０ヶ月であり、前記第２のカム（１７）の形状は、第２の３０年の周期にわたって変化する１２番目の月の日数を表す、請求項１１に記載のカレンダ機構（１）。
【請求項１３】
第１の周期は４年であり、前記第１のカム（１５）の形状は、第１の４年周期に応じて変化する２月の日数を表し、切欠部（１５ｃ）は２月に対応し、閏年または非閏年であり、第２の周期は４００年であり、前記少なくとも１つの第２のカム（１７）の形状は、４で割り切れる年の２月の日数を表す、請求項１１に記載のカレンダ機構（１）。
【請求項１４】
前記第２のカム（１７）に重ね合わされた第２の追加のカム（１８）を備え、第２のカム（１７）と追加の第２のカム（１８）との組み合わせは４００年周期を規定する、請求項１３に記載のカレンダ機構（１）。
【請求項１５】
前記第２の感知スピンドル（２３ａ）は、第２のカム（１７）と追加の第２のカム（１８）を平行に感知するように構成される、請求項１４に記載のカレンダ機構（１）。
【請求項１６】
前記レバー（９）は、隣接する２つの固定歯（５）と同じ分離を有する少なくとも２つの格納式歯（１１）を支持する、請求項１〜１５のいずれか一項に記載のカレンダ機構（１）。
【請求項１７】
好ましくは駆動ホイール（７）に関連した、曜日を表示する装置をさらに備える、請求項１〜１６のいずれか一項に記載のカレンダ機構（１）。
【発明の詳細な説明】
【技術分野】
【０００１】
本発明は、時計製作法の分野に関する。より詳細には、永久カレンダ等の、少なくとも第１の周期および第２の周期に基づいて変化する周期を有する情報を示すのに適したカレンダ機構に関する。
【背景技術】
【０００２】
欧州特許第１，３５１，１０４号には、永久カレンダ機構が記載されている。このカレンダは、最大の月の長さが３１日であり、１２ヶ月である第１の周期にわたって変化し、月ごとに３１−２８−３１−３０−３１−３０−３１−３１−３０−３１−３０−３１日の順番である。ユリウス暦閏年の４年である第２の周期が、この第１の周期に重ねられ、２月に１日が追加される。滑動レバーによって支持される格納式の歯が、閏年でない２月の終わりに、２４時間ホイールと相互作用し、日付表示を２８の表示から直接翌月の１の表示に前進させる。この歯は、閏年の間は格納されるので、表示を２月２９日とし、その後２４時間後に１に進めることができる。しかしながら、この機構は複雑で脆弱である。
【０００３】
また、欧州特許第１，８１８，７３８号は、１００で割り切れる年に対して２月２９日を排除するために、１００年の第３の周期と、４００で割り切れる年に対して２月２９日を再構築するために、４００年の第４の周期とを取り入れる。したがって、この機構は、グレゴリオ暦の全周期を表示することを可能にする。
【０００４】
欧州特許第０，６０６，５７６号には、イスラム暦のカレンダ機構が記載されている。イスラム暦は太陰周期に基づいており、奇数月が３０日であり、偶数月が２９日である１２ヶ月の第１の周期を含む。この周期と完全なイスラム暦年との違いを補うために、ある年の１２番目の月は、第２の３０年周期に従って、２９日ではなく３０日を有する。この第２の周期にはいくつかの変形態様が存在するが、一般的に使用される一つの変形は、以下のように１２番目の月が２９日ではなく３０日を含む。２番目、５番目、７番目、１０番目、１３番目、１５番目、１８番目、２１番目、２４番目、２６番目、および２９番目。
【０００５】
先行技術のこれらのカレンダ機構は比較的複雑であり、ムーブメント中に大量の空間を必要とする。
【０００６】
本発明の目的は、単純で小型で信頼性のあるカレンダ機構を提案することである。
【先行技術文献】
【特許文献】
【０００７】
【特許文献１】欧州特許第１，３５１，１０４号
【特許文献２】欧州特許第１，８１８，７３８号
【特許文献３】欧州特許第０，６０６，５７６号
【発明の概要】
【０００８】
より具体的には、本発明は、少なくとも第１の周期および第２の周期に従って変化する周期を有する情報を示すように構成された時計のカレンダ機構に関する。「第１の周期」とは、例えば、イスラム暦の最初の月から１１番目の月まで、または、西暦（ユリウス暦またはグレゴリオ暦）の１月と３月から１２月までのように、各月の日数が年ごとに不変である月周期をいう。「第２の周期」とは、例えば、第１の周期とは異なる長さの周期をいい、たとえば、イスラム暦の１２番目の月の日数を決める３０年周期、２月の日数を決めるユリウス暦の４年周期、またはグレゴリオ暦の４００年周期である。これらの２つの周期は、全周期にわたって所望の表示を提供するために重ね合わされる。
【０００９】
この機構は、表示されるべき情報の最大周期に基づいて選択された多数の固定された歯を有する歯車を備える月ホイールを含む。通常、この数の歯は、１か月の最大日数、またはその倍数と同じである。
【００１０】
さらに、ホイールは、休止位置と動作位置の間、およびその逆の間で動くように構成されたレバーを備え、このレバーには、ホイールの周囲に対して格納可能な少なくとも１つの歯が設けられる。この少なくとも１つの歯は、レバーの平面内に延在する伝統的な歯、または対称歯、ピン、ラグ等の形でこの平面に垂直に延びる歯とすることができ、これらは、同じ機能を果たす場合に、通常全て「歯」と考えられる。
【００１１】
この機構はさらに、前記固定された歯と相互作用するように構成された第１の駆動部と、前記第１の駆動部に対して角度的にオフセットされ、前記レバーがその動作位置にある場合に、前記格納可能な歯と相互作用するように構成された第２の駆動部とを備える駆動ホイールを備える。この位置において、格納可能な歯は、駆動ホイールと協働することができるように配置される。
【００１２】
前記機構に組み込まれているのは、その形状が第１の周期による前記期間の変動を表す第１のカムと、その形状が第２の周期による前記期間の変動を表す第２のカムと、前記ホイール、前記第１のカム、および前記第２のカムと動力学的に接続され、前記周期に応じて前記カムの各々を割り出しするのに適した割り出しシステムとである。
【００１３】
また、前記レバーの作動システムも前記機構に組み込まれている。この作動システムは、第１のカムと接触するように意図された第１のカム感知スピンドルと、第２のカムと接触するように意図された第２のカム感知スピンドルとを備え、感知スピンドルは、互いに動力学的に接続され、作動システムは、前記カムの各々の制御下で、前記レバーをその休止位置からその動作位置に移動させるように構成されている。
【００１４】
したがって、これら２つの動力学的に接続された感知スピンドルは、第１のカムによって伝えられる情報に基づいて、または第２のカムによって伝えられる情報に基づいてレバーを作動させることができ、所望の完全な周期を表示するために、２つの周期の重ね合わせに基づいて制御され、その結果、月ホイールは、各月の終わりに適切なステップ数だけ進められる。
【００１５】
有利には、前記第１のカムおよび前記第２のカムは、前記歯車と同軸であり、歯車によって支持されている。これにより、特に小型の構造が得られる。あるいは、これら２つのカムは、前記歯車と同軸としないこともできる。
【００１６】
前記カムの各々は、前記歯車の同じ側に、または一方が前記歯車の第１の側に、他方が反対側に位置することができる。
【００１７】
この第２の場合、第２の感知スピンドルは、有利には、第１の感知スピンドルの反対側に位置するカムを感知することができるように、前記歯車に形成された開口を貫通して延びる。
【００１８】
有利には、作動システムは、第１の感知スピンドルが設けられ、また、前記第１のカムの制御下で動作位置に移動させるために前記レバーと接触するよう意図されたストッパが設けられた第１のレバーを備える。
【００１９】
１つの変形例では、第１の感知スピンドルだけでなく、第２の感知スピンドルも第１のレバーによって支持されるので、特に小型の構成が得られる。あるいは、作動システムは、前記第１のレバーに動力学的に接続された第２のレバーを備え、前記第２のレバーは前記第２の感知スピンドルを支承することができる。
【００２０】
１つの変形例では、作動システムは、直接的または間接的に前記第１のレバーに動力学的に接続された追加の作動ホイールを備える。この追加の作動ホイールは、前記レバーを前記第２のカムの制御下でその動作位置に向かって動かすように構成されている。
【００２１】
有利には、追加の作動ホイールは、前記歯車に対して枢動され、前記第２のカムの制御下で前記レバーを押圧する追加の作動カムを備える。
【００２２】
１つの変形形態では、前記第１のカムは、第１の周期に従って変化する月の日数を表す形状を有し、前記第２のカムは、第２の周期に従って変化する少なくとも１つの特定の月における日数を表す形状を有し、前記第１のカムは、前記第２の周期に従って日数が決まる少なくとも１つの月を表す切欠部を備える。第１の周期が１２ヶ月であり、第２の周期が３０年である１つの特定の代替案において、前記第１のカムの形状は、第１の１２ヶ月の周期に従って変化する最初の月から１１番目の月までの日数を表し、切欠部は１２番目の月に対応し、前記第２のカムの形状は、第２の３０年の周期にわたって変化する１２番目の月の日数に対応する。切欠部は、第１のカムが、第２のカムによって日数が決定される月に対して、第１のレバーの位置に影響を与えないようにする。
【００２３】
あるいは、第１の周期は４年であり、前記第１のカムの形状は、第１の４年周期（すなわち、２８−２８−２８、次いで（第２の周期に応じて）２８または２９）に応じて変化する２月の日数を表し、切欠部は２月に対応し、ユリウス暦またはグレゴリオ暦に応じて閏年がある場合とそうでない場合がある。この代替案では、第２の周期は、１００年または４００年であり、前記少なくとも１つのカムの形状は、グレゴリオ暦またはユリウス暦の周期に応じて閏年である場合とそうでない場合がある、４で割り切れる年の２月の日数を表す。
【００２４】
有利には、機構は、前記第２のカムに重ね合わされた第２の追加のカムを備え、第２のカムと追加の第２のカムとの組み合わせは、特にグレゴリオ暦に従って４００年周期を規定する。これにより、４００セクタの単一のカムを使用することを避けることができ、より単純で重ね合わせたカムを使用することができる。これらのカムを読み取るために、第２の感知スピンドルを、第２のカムと追加の第２のカムを平行に、すなわち同時に感知するように構成することができる。
【００２５】
有利には、前記レバーは、歯車の２つの固定歯と同じ分離を有する少なくとも２つの格納式歯を支持する。したがって、機構は可逆的であり、駆動ホイールの回転方向とは独立に割り出しを維持する。その結果、通常の操作方向とは逆方向に補正を行っても、正しい割り出しが行われる。
【００２６】
有利には、単に曜日を表示するために好ましくは駆動ホイールに関連した、曜日を表示する装置を設けることができる。
【図面の簡単な説明】
【００２７】
【図１】本発明によるカレンダ機構の第１の実施形態の上面図である。
【図２】異なる位置にある本発明によるカレンダ機構の第１の実施形態の上面図である。
【図３】異なる位置にある本発明によるカレンダ機構の第１の実施形態の上面図である。
【図４】本発明によるカレンダ機構の動作原理を示す概略図である。
【図５】第２の実施形態の斜視図であり、機構の一方の側面から見た図である。
【図６】第２の実施形態の平面図であり、機構の一方の側面から見た図である。
【図７】第２の実施形態の斜視図であり、機構の他方の側面から見た図である。
【図８】第２の実施形態の平面図であり、機構の他方の側面から見た図である。
【図９】機構の一方の側面から見た第３の実施形態の斜視図である。
【図１０】機構の一方の側面から見た第３の実施形態の斜視図である。
【図１１】機構の他方の側面から見た第３の実施形態の斜視図である。
【発明を実施するための形態】
【００２８】
本発明の他の詳細は、添付の図面を参照して行われる以下の説明を読むことによって、より明確になるであろう。
【００２９】
図１〜３は、本発明に従うカレンダ機構１の一実施形態を、イスラム暦の形態で概略的に示す。様々な構成要素間の相互作用を説明し、図の詳細のより良い理解を提供するために、異なる種類の断面ハッチングが使用されている。さらに、図４は、図式的に動作原理を示す。
【００３０】
機構１は、ホイール４に対して固定された歯５を支承する歯車４を備える月ホイール３を備える。固定された歯５の数は、表示されるべき最大日数に基づいて選択され、特に図示の場合には３０である。また、この数の倍数も可能である。月ホイール３の位置決めは、従来のジャンパー（図示せず）を使用して行うことができる。歯車４は、従来の日付を示す１つ（または複数）の表示部（図示せず）に関連付けられている。
【００３１】
月ホイール３は、固定歯５と協働するように構成された、空間により分離された４つの駆動歯または駆動指の設けられた第１の駆動部７ａを備える駆動ホイール７によって駆動される。そして、駆動ホイール７は、固定歯５と協働するように構成されている。そして、駆動ホイール７は、典型的には真夜中付近に、２４時間ごとに４分の一回転の速度でベースムーブメント（図示せず）によって駆動されるように構成されている。駆動歯または駆動指の数は、時計技術士の要求に基づいて選択することができ、一般に、ｎを駆動歯または駆動指の数として、駆動ホイール７は１日に１／ｎ回転する。
【００３２】
また、月ホイール３は、枢支点９ａで歯車４に枢着されたレバー９を備え、レバー９は、固定歯５とは異なる平面に位置し、レバー９で固定された格納可能な歯１１を支持する。図１を参照し、レバー９および格納可能な歯１１は休止格納位置にあり、一方、図２および図３では動作展開位置にある。戻りばね（図示せず）が、レバー９をその休止位置（図１）に保持するように作用する。レバー９の動作位置において、格納式歯１１は、駆動ホイール７に設けられた第２の駆動部７ｂと協働することができる。したがって、格納式歯１１は、月ホイール３の周囲に対して格納可能である。
【００３３】
この第２の駆動部７ｂは、第１の駆動部７ａと実質的に同様の形状を有するが、第１の駆動部７ａに対して８分の１回転だけ角度がずれており、格納式歯１１と協働することができる平面内に位置している。
【００３４】
その結果、格納式歯１１が格納位置（図１）にある場合、第２の駆動部７ｂは有効でなく、駆動ホイール７の４分の１回転毎に、月ホイール３は１ステップだけ、すなわち図示の場合には１つの歯だけ、枢動する。
【００３５】
格納式歯１１が動作位置にある場合（図２および図３）、駆動ホイール７の４分の１回転は、第１の駆動部７ａと固定歯５との相互作用によって月ホイール３を１ステップだけ枢動させ、第２の駆動部７ｂと格納式歯１１との相互作用によってさらに１ステップ枢動させる。
【００３６】
格納式歯１１が１つの歯１１のみを含む場合、カレンダ機構１は単一の回転方向にのみ作用する。しかし、２つの格納式歯１１が存在し、それぞれが歯車４の１対の固定歯の上に重なり（または歯車４の１対の固定歯によってオフセットされており）、歯車４の２つの固定歯５の間の分離と類似してまたは同様に分離している図示の場合には、カレンダ機構１は、可逆的に働く、すなわち、いずれかの方向に駆動した後にも（例えば、月ホイール３の典型的な回転方向と反対の方向に手動で日付けを修正した後にも）、月ホイール３によって実行されるステップの数は正しいままであり、機構はそれに関連する表示部（図示せず）によって表示された日付に対して常に正しく割り出しされたままである。歯車４が、１ヶ月の最大日数の倍数の数の固定歯５を備える場合、格納式歯の数にこの倍数を掛けることができる。
【００３７】
レバー９の位置は、第１のカム１５および第２のカム１７の位置に基づいて作動システム１３によって制御される。第１カム１５は、レバー９の枢支点９ａとホイール３の回転軸との間に位置し、歯車４に対して枢動するように構成されている。第１のカムの形状は、第１の１２ヶ月周期を表し、したがって、２９日の奇数月を表す大径部分１５ａと、３０日の偶数月を表す小径部分１５ｂとを有する。１２番目の月の日数が年に依存するとすれば、この月は、以下でその動作を明確に説明する切欠部１５ｃによって表される。
【００３８】
第２のカム１７は、レバー９の枢支点９ａと歯車４の周囲との間に位置し、歯車４に対して枢動するように構成されている。第２のカム１７の形状は、１２番目の月の日数を決める第２の３０年周期を表す。カム１７の形状は内向きに延び、２９日である１２番目の月を表す大径部分１７ａと、３０日である１２番目の月を表す小径部分１７ｂとを含む。
【００３９】
この種類のカムは、その形状が１ヶ月に表示される日数を決定し、機構１によって表示される数列を「プログラムする」ように作用するので、しばしば「プログラムカム」と呼ばれる。
【００４０】
カム１５、１７は、図１〜図３に概略的に示されている割り出しシステム１９を用いて歯車４に対して支持および回転され、歯車４に対する各カム１５、１７の角度位置が表示された日付に対して正確に割り出されることを確実にする。矢印によって示されるように、割り出しシステム１９は、歯車４によって駆動され、歯車、マルタ十字形、星形または他の適切なシステム等の適切な伝達システムによって２つのカム１５、１７を駆動する。もちろん、伝達システムは、２つのカム１５、１７を個別に制御することもできるし、第１のカム１５に対して第２のカム１７を制御することもできる。割り出しシステムの詳細は、それ自体は本発明の一部ではなく、より詳細には説明しない。
【００４１】
作動システム１３は、感知スピンドル２１ａを支承する第１のレバー２１を備え、第１のレバーは、ばね（図示せず）の作用下で枢支点２１ｂにおいて歯車４上で枢動される。また、第１のレバー２１は、レバー９をその動作位置（図２）に移動させるために、レバー９の側面を押圧するように構成されたスタッド２１ｃにより形成された停止部も支承する。しかし、前記第１のレバー２１は、スタッドを使用せずに前記レバー９と直接作用することもできる。同様に、レバー９はスタッドを含むことができ、第１のレバー２１はそれを有することができない。また、レバー９および第１のレバー２１はそれぞれスタッドを有することができる。
【００４２】
第１の感知スピンドル２１ａは第１のカム１５に追従し、第１の感知スピンドル２１ａが第１のカムの小径部分１５ｂと接触している場合（図１）には、スタッド２１ｃはレバー９を動作位置に移動させず、格納式歯１１は格納位置にあり、第２の駆動部７ｂは格納式歯１１と相互作用することができず、従って３０日の周期が表示される。
【００４３】
しかし、第１の感知スピンドル２１ａが第１のカムの大径部分１５ａと接触している場合（図２）には、スタッド２１ｃは、レバー９および格納式歯１１をそれらの動作位置に動かす。その結果、第２の駆動部７ｂは格納式歯１１と相互作用することができ、歯車４が月の終わりに２ステップの速度で前進するので、２９日の周期が表示される。
【００４４】
１２番目の月の間、第１の感知スピンドル２１ａは切欠部１５ｃ内にあり、したがって、スタッド２１ｃはレバー９から離れて配置される。１２番目の月の長さは、第１のカム１５ではなく、第２のカム１７によって決定される。
【００４５】
第２のカム１７を感知するために、第２のレバー２３も枢支点２３ｂで歯車４に枢着され、各レバー２１，２３によって支持された相補的な歯付きセグメント２１ｄ、２３ｄを用いて第１のレバー２１と動力学的に連結される。第２のレバー２３は、少なくとも１２番目の月の間に第２のカム１７と接触するように意図された第２の感知スピンドル２３ａを備える。１２番目の月が３０日を有する場合、第２の感知スピンドル２３ａは、第２のカム１７のより小径部分と接触しており、作動装置１３は、第１の感知スピンドル２１ａは切欠部１５ｃを横断している点を除いて、図１に示される構成を採用する。
【００４６】
１２番目の月が２９日を含む場合、図３に示すように、第２の感知スピンドル２３ａは、第２のカム１７の大径部分１７ａを横断している。第１の感知スピンドル２１ａは切欠部１５ｃを横断しており、したがって、第１のカム１５の他の位置よりも第１のカム１５の回転軸に向かってさらに枢動することができる。したがって、第２の感知スピンドル２３ａは、第２のカム１７の大径部１７ａに接触して配置され、第２のレバー２３を（図１〜３の図に対して）時計回りに枢動させる。この回転は、歯車４に枢着され、レバー９を制御するように構成された追加の作動カム２５ａと、伝達レバー２４によって第２の感知スピンドル２３ａと動力学的に接続された歯車ホイール２５ｂとからなる追加の作動ホイール２５に伝達される。また、図示の場合、伝達レバー２４は、歯付きホイール２５ｂと、第２レバー２５に設けられた相補的な歯付きセクタとに両側で噛み合う２つの歯付きセグメントまたはラックを備える。
【００４７】
言うまでもなく、レバー２１、２３、２４と追加の作動ホイール２５との間の任意の種類の動力学的リンク、例えば溝と協働するスタッド、ベルト等が可能である。
【００４８】
実際、この機構は、全体としてバイナリロジックシステムを表し、これは以下の転送テーブルによって示すことができる。
【表１】
0006781254.tif 000002
【００４９】
このロジックでは、カム１が「優先」であり、第１の感知スピンドル２１ａが切欠部１５ｃを横断した場合にのみ、カム２がレバー９の位置に影響を及ぼすことができることは明らかである。
【００５０】
機構１の様々な構成要素間の干渉を避けるために、それらは適切な面に配置され、必要に応じて互いの上を通過することができる。例えば、図１において、伝達レバー２４は第１のカム１５に重畳され、従って第１のカム１５は別の平面内に配置される。同様の状況は、図３の伝達レバー２４に重畳している第２のカム１７にも存在する。
【００５１】
図４は、本発明による機構１の動作原理を概略的に示す。駆動ホイール７は、真夜中付近に歯車４を駆動し、該当する場合には、格納式歯１１も駆動する。格納式歯１１は、それらの動作位置にあり、したがって、第２の駆動部７ｂによって駆動され、レバーに加えられた力は、１つの追加のステップによって歯車４を駆動する。
【００５２】
歯車４は、割り出しシステム１９に動力学的に接続されており、月ホイール３の角度位置が変更されるごとに、割り出しシステムの状態が変更され、第１のカム１５および第２のカム１７の位置が変更され、表示された日付の歯車４に対して正確に割り出しされる。これらのカム１５、１７は、それぞれ第１および第２の感知スピンドル２１ａ、２３ａによって感知され、したがってレバー９の位置を決定する。
【００５３】
図５〜図８は、図１〜図３と同じ原理を適用するイスラム暦機構１の第２の実施形態を示す。これらの図は、３０日の月の間に、両側、具体的には上側（図５および６）および下側（図７および８）から見た図、ならびに斜視図（図５および７）および平面図を示す。これらの図では、駆動ホイール７は図示されていないが、図１〜図３に示したものと同一とすることができ、他の適切な形態を有することもできる。
【００５４】
この実施形態は、主に、第１のカム１７の位置と作動システム１３の部品とが異なる。
【００５５】
図５および図６から分かるように、レバー９、第１のカム１５、第１の感知スピンドル２１ａおよびスタッド２１ｃの構成は、実質的に変更されていない。
【００５６】
しかし、第１のレバー２１は、そのラック２１ｄが追加の作動ホイール２５の歯付きセクタ２５ｂと直接噛み合うように湾曲して延在している。これにより、第１実施形態の中間レバー２３、２４が除去されている。それにもかかわらず、第１のレバー２１と追加の作動ホイールとの間に異なる動力学的リンクが可能であることは言うまでもない。
【００５７】
第２のカム１７は歯車４の反対側にあり、したがって、第１のカム１５の面とは異なる面にあり、中央に位置して外方に延在している。第２の感知スピンドル２３ａは、第１のレバー２１に固定されたピンであり、歯車４に形成された開口４ａを貫通して第２のカム１７を感知することができるようになっている。
【００５８】
構造の変化にもかかわらず、機構の動作原理は変わらない。
【００５９】
図９〜図１１は、上述したのと同じ動作原理を示しているが、グレゴリオ暦の２月の取り扱いに適用されている。このシステムは、上述したものよりも複雑であり、特定の組立要素（スタッフ、ピン等）は図示されていない。さらに、この図は、その動作をより明確に示すために、非常に概略的に示されており、月の３１日および３０日の飛び越しを扱う要素は、月の２９日の飛び越しを扱う要素とは別個に示されている。
【００６０】
図９は、３０日の月および２月の間に月の３１番目の日を飛び越し、２月の終わりに月の３０番目の日を飛び越すことを提供する要素を示している。これらの飛び越しは、単一の１２ヶ月周期に従うのであり、したがって、本発明に従う重ね合わせた周期の原理を適用しないが、ここでは完全性のために図示されている。
【００６１】
この実施形態では、月ホイール１の歯車４は、駆動ホイール７の第１の駆動部７ａと協働する３１個の歯（または、３１の倍数の個数の歯）を備え、その標準動作の間、図９に示すように時計回りに１ヶ月に１回転する。第１の追加レバー２７は、歯車４（その軸は図では省略されている）に枢着され、上記のレバー９の歯と同様に構成された２つの歯を有し、これらの歯は、第１の駆動部の平面以外の平面内に位置している、駆動ホイール７の第１の駆動部７ｃと相互作用できるように配置されている。また、第２の追加レバー２９は、歯車４（その軸も図面では省略されている）に枢着され、第１の追加レバー２７の歯に対して上流方向に１ステップだけオフセットされた２つの歯を有し、これらの歯は、駆動ホイール上のさらに別の異なる平面に位置するさらに別の追加の駆動部７ｄと相互作用することができるように配置されている。これらの追加のレバー２７、２９は、それぞれが単一のカムによって制御されることを除いて、レバー９と同様に動作する。さらに、図示された実施形態では、駆動部は、１８０°ずらして対をなして設けられている。したがって、駆動ホイールは、一日に半回転する。他の構成も可能であり、例えば、１つのレベルにつき１つ、３つまたは４つの駆動部とすることができる。
【００６２】
これらのレバーの作動は、単一の１２ヶ月周期で行われ、ホイール３は第１の追加のカム３１を備え、第１の追加のレバー２７の感知スピンドル２７ａが追従し、このレバーを２８日、２９日、または３０日の月の終わりに動作位置に動かす。したがって、この追加のカム３１は、３１日未満の月に対応する５つの突起を有する。また、第１の追加のカム３１に回転に関して固定された第２の追加のカム３３を、第２の追加のレバー２８の感知スピンドル２９ａが追従し、このレバーを毎年２月にその動作位置に動かし、この目的のために、この追加のカム３１は２月に対応する突起を有する。
【００６３】
割り出しシステム１９は、追加のカム３１、３３と歯車４との間の角度関係を提供する一方、これらの構成要素の間の相対回転の所望の方向において歯車４に対する追加のカム３１、３３の回転速度比を１１／１２または１３／１２とする。しかし、レバー２７、２９の歯が、駆動ホイール７の前を通過する間に、適切に位置している限り、歯車４とカム３１との間、および歯車４とカム３３との間の任意の他の速度比を考慮することができる。
【００６４】
図１０および図１１は、２月に関連する要素を示している。図示の構成は、図５〜図８のシステムの変形例を示し、したがって、図５〜図８の実施形態に対する相違のみを以下で詳細に説明し、同一の参照符号を有する要素は、必要な変更を加えた同一の機能を表す。
【００６５】
第１のカム１５、レバー９（その回転軸９ａは図示せず）、および図１０に示す作動システム１３の構成要素は、レバー９の歯１１が駆動ホイール７の第２の駆動部７ｂと相互作用することができるように、追加のレバー２７、２９および追加のカム３１、３３に重ね合わせられる。
【００６６】
第１のカム１５は、実際には、４年／４８ヶ月の第１の周期を表す４８のセクタを含み、これらのセクタの大部分は、同一の、小径部１５ｂ（２月以外の月）を有する。３つの大径部１５ａは、常に非閏年である２月の月を表す隆起であり、月の２９番目の日を飛び越すためにレバー９をその動作位置に動かす。切欠部１５ｃは、グレゴリオ暦（すなわち、毎年４で割り切れる）に従って閏年（したがって、２９日からなる）となり得る年を表す。割り出しシステムは、第１のカム１５が歯車４に対して１年に４分の１回転することを保証する。
【００６７】
図５〜図８の実施例の場合と同様に、この切欠部はレバー９の制御を歯車４の反対側に位置する少なくとも第２のカム１７に委ねる。この場合、機構は、第２のカム１７だけでなく、第２のカム１７と同軸の追加の第２のカム１８も備える。これらの２つのカムは、第２の感知スピンドル２３ａによって平行に感知される。図示した実施形態では、第２のカム１７は２０個のセクタを備え、そのうちの３個は切欠部を有し、第２の追加のカム１８は５個のセクタを備え、そのうちの１個は切欠部を有する。実際、これらの切欠部の組み合わせは、関心のある年が４００でなく１００で割り切れるかどうかに関する情報を提供する。
【００６８】
図１１を参照し、例えば歯車４に対して４００年で１回転する第２のカム１７と、同じ歯車に対しても２０年に１回転する第２の追加のカム１８とが示されている。あるいは、第２のカム１７は、例えば８０年で１回転することができ、追加の第２のカム１８は４００年に１回転することができる。実際には、かかる機構の寸法を考慮すると、４００セクタを有する単一の第２のカム１７を製造することは非常に困難であり、このことが、２つのカム１７、１８の「ＡＮＤ」論理組合せを使用することが選択されている理由である。したがって、この４００年の複合周期は、本発明の意味における第２の周期である。
【００６９】
したがって、第２のカム１７の切欠部および追加の第２のカム１８の切欠部が第２の感知スピンドル２３ａの下に位置する場合（１００で割りきれるが４００で割りきれない各年の場合）、追加の第２のカム１８の切欠部は（歯車４の反対側に位置する感知スピンドル２１ａが切欠部１５ｃの上にある限り）結合された切欠部となり、第１のレバー２１は、図１０に示すように反時計方向に枢動する。したがって、そのラック２１ｄは、格納式歯１１をそれらの動作位置に動かすように、追加の作動カム２５ａを制御し、月の２９番目の日は、このようにして１７００年、１８００年、１９００年等で飛び越されるが、１６００年、２０００年等で飛び越されない。その他の２月については、その年は閏年であり、第２のカム１７および追加の第２のカム１８の少なくとも一方が第１のレバー２１の回転を阻止し、格納式歯１１はその休止位置に留まる。その結果、月の２９番目の日は飛び越されずに、表示される。かかる構成を図１１に示す。
【００７０】
また、このシステムは完全に可逆的であり、駆動ホイールを用いて逆方向補正中にその割り出しを維持する。
【００７１】
しかし、図示された実施形態は限定的ではなく、レバー９の歯１１が駆動ホイール７の前方を通過する間に適切に位置決めされている限り、カム１７、１８の駆動手段の構成、寸法および性質に応じて、カム１７、１８間の他の適切な速度比を考慮することができ、これらも本発明の範囲である。重要なのは、閏年の２月の間（したがって、感知スピンドル２１ａが切欠部１５ｃに嵌まる可能性がある場合）、および、歯１１が駆動ホイール７に近接している場合に、カム１７および１８が正しく配置されていることである。
【００７２】
全ての実施形態において、駆動ホイール７に関連することのできる任意の曜日を表示するための装置を提供することも可能である。
【００７３】
いくつかの特定の実施形態を参照して本発明を説明してきたが、特許請求の範囲によって定義される本発明の範囲を逸脱することなく変更が可能である。特に、同じ原理が、グレゴリオ暦、年暦またはユリウス西暦、中国暦、ヘブライ暦または同様の暦にも適用され得ることに留意すべきである。
【図１】
0006781254.tif 000003
【図２】
0006781254.tif 000004
【図３】
0006781254.tif 000005
【図４】
0006781254.tif 000006
【図５】
0006781254.tif 000007
【図６】
0006781254.tif 000008
【図７】
0006781254.tif 000009
【図８】
0006781254.tif 000010
【図９】
0006781254.tif 000011
【図１０】
0006781254.tif 000012
【図１１】
0006781254.tif 000013